【事件の表示】
　特願２００５−　８２１７０「再生装置」拒絶査定不服審判事件〔平成１７年　７月　７日出願公開、特開２００５−１８３００３〕について、次のとおり審決する。
【結　論】
　本件審判の請求は、成り立たない。
【理　由】
１．手続の経緯・本願発明　
　本願は、平成６年９月３０日（優先権主張平成６年７月４日）に出願した特願平６−２５９７１９号の一部を新たな特許出願とした特願２００２−１５２１２２号の一部を平成１７年３月２２日にさらに新たな特許出願としたものであって、平成１７年１１月２４日付け拒絶理由通知に対して、平成１８年１月１３日付けで手続補正がなされたが、平成１８年２月１日付けで拒絶の査定がなされ、これに対し、平成１８年２月１０日付けで拒絶査定不服審判が請求されるとともに、平成１８年３月３日付けで手続補正がなされたが、これに対し、当審において、平成２０年１月２９日付けで決定により平成１８年３月３日付け手続補正を却下し、同日付で拒絶理由が通知され、それに応答して平成２０年４月７日付けで手続補正がなされたものである。そして、本願の請求項１乃至４に係る発明は、平成２０年４月７日付け手続補正によって補正された明細書の特許請求の範囲の請求項１乃至４に記載された事項により特定されるとおりのものと認められるところ、その請求項１に係る発明は次のとおりである。　
「【請求項１】　
　映像またはオーディオデータが記録されたディスクを複数収納可能な収納手段と、　
　上記収納手段に収納された複数のディスクから所望のディスクを選択する選択手段と、
　上記収納手段に収納された各々のディスクから映像データを読み出す再生手段と、
　上記再生手段にて再生された、上記収納手段に収納された各々のディスクの映像データを同一画面上に表示できるように制御する映像出力制御手段と、
　上記映像出力制御手段によって表示された同一画面上の各々のディスクの映像データから所定のディスクに対応する映像データを選択する第１の操作手段と、
　上記第１の操作手段にて選択された所定のディスクに対応する映像データの早送り再生を指示する第２の操作手段と、
　上記第２の操作手段の早送り再生操作に応じて、上記第１の操作手段にて選択された所定のディスクの映像データのみについて早送り再生を行い、該選択されたディスクとは異なるディスクに対応する映像データについては早送り再生を行わないように再生手段を制御する制御手段と、を備え、
　上記再生手段にて早送り再生された映像データを上記第１の操作手段にて選択された所定のディスクに対応する表示領域に表示する
　再生装置。（以下「本願発明」という。）」
　
２．刊行物及びその記載
　当審における拒絶の理由に引用された刊行物である特開平４−２９１０４６号公報（以下「刊行物１」という。）には、磁気記録再生システムについて、図面とともに以下の記載がある。（なお、下線は当審で付与した。）
（１）「【０００１】　
【産業上の利用分野】
本発明は複数のテ−プカセットを一括して管理する磁気記録再生システム
　
（２）「【００３９】続いて、上述のようにインデックス及びカセット題名画（題名文字）の作られた
複数のテ−プカセットから所望のテ−プカセット２を選び、そのテ−プカセット２の中の所望の内容が記録されているところを自動再生する動作を説明する。検索・再生モードが選択されると、システムコントロ−ラ１１は、カセット棚１に収納されている複数のテ−プカセットの内容が一目で分かるように、テ−プカセットがテ−プ棚１に収納されている順で、各々縮小された代表静止画あるいは題名を画像メモリ２５から呼び出し、これをモニタ２９の数分割された画面上に同時に順次表示する。そして、ユ−ザ−がモニタ２９上の数分割された画面上から所望の分割１画面を選択すると、システムコントロ−ラ１１はその分割１画面に対応する１本のテ−プカセット中のさらに詳しい記録内容を示すインデックスの静止画をモニタ２９の数分割された画面上に表示する。
【００４０】次に、
ユ−ザ−が上記モニタ２９の数分割された画面から所望の静止画を選択すると、システムコントロ−ラ１１はテ−プアドレスメモリ２６を参照して、ユ−ザ−の所望するテ−プカセット２をカセット棚１からエレベ−タ４で取り出し、このテープカセット２を第１ＶＴＲ５もしくは第２ＶＴＲ６にセットする。
【００４１】そこで、
再生する所望のテ−プカセットのテ−プ位置をテ−プ位置カウントメモリ１６から、初期値として頭出し信号ＵＰ／ＤＯＷＮカウンタ１５にロ−ドし、次にＶＴＲを早送りあるいは巻戻しをして、頭出し信号ＵＰ／ＤＯＷＮカウンタ１５が設定された目的の頭出し信号のカウント値読み出し部１７の値になるようにテープ送りを制御し、同じ値になったら一致回路１８により一致信号をシステムコントロ−ラ１１に送りようにされる。そして、システムコントロ−ラ１１はその一致信号によってＶＴＲを早送りあるいは巻戻しモ−ドから解除して、直ちにプレイ動作を開始させる。これにより、ユ−ザ−はあらかじめ作成してあるモニタ上の分割された画面の１画面を選ぶことで、自動的に所望テープカセットの所望テープ位置の再生画を見ることができる。
　
　上記摘示事項を、図面とともに総合整理すると、刊行物１には次の発明が記載されているものと認める。　
「複数のテ−プカセットから所望のテ−プカセットを選び、そのテ−プカセットの中の所望の内容が記録されているところを自動再生する磁気記録再生システムにおいて、
　検索・再生モードが選択されると、
　テ−プカセットがテ−プ棚に収納されている順で、各々縮小された代表静止画を画像メモリから呼び出し、これをモニタの数分割された画面上に同時に順次表示し、　
　ユ−ザ−がモニタ上の数分割された画面上から所望の分割１画面を選択すると、システムコントロ−ラはその分割１画面に対応する１本のテ−プカセット中のさらに詳しい記録内容を示すインデックスの静止画をモニタの数分割された画面上に表示し、
　ユ−ザ−が上記モニタの数分割された画面から所望の静止画を選択すると、システムコントロ−ラがテ−プアドレスメモリを参照して、ユ−ザ−の所望するテ−プカセットをカセット棚からエレベ−タで取り出し、このテープカセットをＶＴＲにセットし、
　プレイ動作を開始させ、
　自動的に所望テープカセットの再生画を見ることができる磁気記録再生システム」（以下「刊行物１発明」という。）　
　
　また、同じく、当審における拒絶の理由に引用された刊行物である特開平５−８１３４７号公報（以下「刊行物２」という。）は、画像検索方法に関するものであって、図面とともに以下の記載がある。
（３）「【００９５】次に、前記のようなデータベースの検索について説明する。まず、
検索画面による検索を説明する。
【００９６】この検索においては、オペレータが分類項目（文化、スポーツ、事件等）を指定すると、その分類に含まれる各動画像データが選択される。次いで、
その各画像データの各代表画像の縮小画像が１０×１０程度の枡目状に並べられた検索画面がビットマップディスプレイ１８Ｅの画面に表示される。
【００９７】図７は検索画面の表示例を示すものである。　
【００９８】この場合、縮小画像が画面上に並び切れない場合には、画面を上方スクロール（スクロールアップ）又は下方スクロール（スクロールダウン）、こま表示、属性表示、検索終了の指示ができるようになっている。このスクロールアップの内容については、後に詳述する。　
【００９９】
図８は、動画的表示をさせる代表画像を選択する状態例を示すものである。
【０１００】前記のように、
表示された各縮小画像（代表画像）の中から、なおその内容を良く知りたい場合には、図８のように、動画的表示をさせようとする代表画像をカーソルにより選択する。
【０１０１】
このカーソルの選択で、図９に示すように当該選択した画像の位置に順次全てのこま又はこま落しの縮小画像が連続的に表示され、動画的な表示が行われる。この動画的表示により、動画像データがどのような動きの被写体を写したものか容易に把握できる。
　
　また、同じく、当審における拒絶の理由に引用された刊行物である特開平１−１３３４８１号公報（以下「刊行物３」という。）は、ビデオディスク再生装置に関するものであって、図面とともに以下の記載がある。  　
（４）「〔発明の概要〕
　
この発明では、ビデオディスクに記録された複数のプログラムの夫々の一部の画像を、画面全体を分割して形成した複数の小画面の夫々に、表示し、そしてまた、カーソル等の選択手段により、所望の画像の表示された小画面を選択し、対応するプログラムを自動的に再生する構成としている。
　従って、このビデオディスク再生装置では、各プログラムの画像を直接見ることにより所望のプログラムの選択、再生を行うことができる。」（１頁右欄第１行〜第１０行）
　
（５）「画像信号Ｓｖがモニタ１７にて表示される上述の状態は、２秒間継続され、２秒間の内の最終フレームのフレームデータが前述の位置情報（Ｐｓｔ　，ＰＥＮＤ）と共に、メモリ１５に記録される。そして、最終フレームの画像が小画面Ｄ１に継続して表示される。従って、
第５図に示す第１番目の小画面Ｄ
１
には、始めの２秒間、再生された動画像が連続して表示され、２秒目以後は、２秒間の内の最後のフレームの静止画像が継続して表示される
　上述の処理は、サーチモード(Search)により行われるため、第１番目のプログラムＰｒｏ１より第９番目のプログラムＰｒｏ９まで連続的にそして自動的に行われる。
各プログラムＰ
ｒｏ
の先頭を検出すると、先頭の部分（２秒間）を順次、再生するため、第４図及び第５図に示すように、各小画面Ｄ
１
〜Ｄ
９
には第１番目より第９番目迄の各プログラムＰ
ｒｏ１
〜Ｐ
ｒｏ９
の静止画像が表示され、以後はポーズ(Pause)モードとされる。
　
３．本願発明と刊行物１発明との対比・判断   　
（ａ）刊行物１発明の「テープカセット」は映像が記録された「記録媒体」である点において、本願発明の「映像またはオーディオデータが記録されたディスク」と共通するものであり、「複数のテープカセット」が「テ−プ棚に収納されて」いるから、刊行物１発明は、本願発明と「映像またはオーディオデータが記録された（記録媒体）を複数収納可能な収納手段」を備える点で共通する。　
（ｂ）刊行物１発明は「ユ−ザ−の所望するテ−プカセットをカセット棚からエレベ−タで取り出」す手段を備えており、本願発明と「収納手段に収納された複数の（記録媒体）から所望の（記録媒体）を選択する選択手段」を備える点で共通する。　
（ｃ）刊行物１発明は「カセット棚」から取り出した「テープカセットをＶＴＲにセットし、プレイ動作を開始させ」ているから、本願発明と「収納手段に収納された各々の（記録媒体）から映像データを読み出す再生手段」を備える点で共通する。　
（ｄ）刊行物１発明は「テ−プカセットがテ−プ棚に収納されている順で、各々縮小された代表静止画を画像メモリから呼び出し、これをモニタの数分割された画面上に同時に順次表示」しており、本願発明と「上記収納手段に収納された各々の（記録媒体）の映像データを同一画面上に表示できるように制御する映像出力制御手段」を備える点で共通する。
（ｅ）刊行物１発明の「ユ−ザ−がモニタ上の数分割された画面上から所望の分割１画面を選択する」機能は、「映像出力制御手段によって表示された同一画面上の各々の（記録媒体）の映像データから所定の（記録媒体）に対応する映像データを選択する」点で本願発明の「第１の操作手段」と共通する。　
（ｆ）刊行物１発明では「検索・再生モードが選択されると」「ユーザー」に「モニタ上の数分割された画面上から所望の分割１画面を選択」させ、映像データを再生させているから、刊行物１発明の「検索・再生モード」を選択する機能は「所定の（記録媒体）に対応する映像データの再生を指示する」点で、本願発明の「第２の操作手段」と共通する。
（ｇ）刊行物１発明は「ユ−ザ−が上記モニタの数分割された画面から所望の静止画を選択すると、」選択された「テープカセットをＶＴＲにセットし、プレイ動作を開始させ」ているから、「上記第１の操作手段にて選択された所定の（記録媒体）の映像データの再生を行う」点で、本願補正発明の「制御手段」と共通する機能を備えている。　
（ｈ）刊行物１発明の「記録再生システム」は、「再生装置」を当然含むという意味で一致しているといえる。　
　
　したがって、本願発明と刊行物発明との［一致点］及び［相違点］は以下のとおりである。　
　
 　［一致点］　
「映像またはオーディオデータが記録された（記録媒体）を複数収納可能な収納手段と、
　上記収納手段に収納された複数の（記録媒体）から所望の（記録媒体）を選択する選択手段と、
　上記収納手段に収納された各々の（記録媒体）から映像データを読み出す再生手段と、
　上記収納手段に収納された各々の（記録媒体）の映像データを同一画面上に表示できるように制御する映像出力制御手段と、
　上記映像出力制御手段によって表示された同一画面上の各々の（記録媒体）の映像データから所定の（記録媒体）に対応する映像データを選択する第１の操作手段と、
　所定の（記録媒体）に対応する映像データの再生を指示する第２の操作手段と、
　上記第１の操作手段にて選択された所定の（記録媒体）の映像データの再生を行う制御手段と、を備える、
　再生装置。」の点。　
　
　[相違点］　
（相違点１）　
　再生装置により再生される記録媒体が、本願発明では「ディスク」であるのに対して、刊行物１発明では「テープカセット」である点。　
　
（相違点２）　
　本願発明が「上記第１の操作手段にて選択された所定のディスクの映像データのみについて早送り再生を行い、該選択されたディスクとは異なるディスクに対応する映像データについては早送り再生を行わないように再生手段を制御する制御手段」を備え、「上記再生手段にて早送り再生された映像データを上記第１の操作手段にて選択された所定のディスクに対応する表示領域に表示する」のに対して、刊行物１発明ではそのような特定がなされていない点。  　
　
（相違点３）  　
　本願発明では「第１の操作手段にて選択された所定のディスクに対応する映像データの早送り再生を指示する第２の操作手段」を備え、「第２の操作手段の早送り再生操作に応じて」早送り再生が行われるものであり、ディスクに対応する映像データを選択してから再生等の動作を指示しているのに対して、刊行物１発明では「数分割された画面から所望の静止画を選択すると」再生を開始しており、ディスクに対応する映像データの選択に応じて再生等の動作が行われている点。　
　
（相違点４）　
　同一画面上に表示される「収納手段に収納された各々のディスクの映像データ」が、本願発明では「再生手段にて再生された、上記収納手段に収納された各々のディスクの映像データ」であるのに対して、刊行物１発明ではそのような特定がなされていない点。
　
４．当審の判断　
（相違点１について）  　
　映像またはオーディオを記録する媒体として「テープカセット」も「ディスク」も周知であるから、刊行物１発明における「テープカセット」に代えて記録媒体として「ディスク」を採用することは当業者が容易に想到し得たことである。
　
（相違点２について）　
　刊行物２には、動画像の内容を容易に把握するために、分割された升目状の領域に代表画像の縮小画像を表示し、動画表示させる代表画像を選択すると、選択された縮小画像をこま落としで動画的な再生表示を行うことが記載されている。また、刊行物２に記載の発明は、選択された領域のみ動画表示されるものであるから、選択されていない領域については表示されている画像データは固定されたまま維持されているものである。そして、刊行物１発明も、刊行物２に記載された発明も、動画像等のコンテンツの検索を容易に行う技術である点で技術分野が一致する。　
　したがって、刊行物１発明においても、記録媒体に格納された動画像の内容を容易に把握するために、数分割された小画面から所望の静止画を選択することにより、選択された静止画像が表示されていた小画面にのみ静止画像に対応する動画像を再生し、選択されていない領域については表示されている画像データは固定されたまま維持する構成とすることは当業者が容易に想到し得たことである。　
　その際、短時間で動画の内容を把握するために、早送り再生とする程度のことは周知技術（例えば、特開平６−１３９６８５号公報の【００５３】等参照）に基づいて、当業者が適宜なし得ることにすぎない。
　
（相違点３について）  　
　複数のデータから所定のデータを選択して再生等の動作を指示するためには、複数のデータのうちどのデータを選択するかの指示と、再生等の動作内容の指示が必要であることは自明である。そして、その際、データを選択してから再生等の動作内容を指示するか、動作内容を指示してからデータを選択するかは当業者が適宜選択しる得る設計事項である。　
　したがって、刊行物１発明においても、モニタ上の数分割された画面上から所望の分割１画面を再生させる際に、モニタ上の数分割された画面上から所望の分割１画面を選択してから、再生等の動作を指示し、再生の指示に応じて再生動作を行う構成とすることは当業者が適宜なし得ることである。　
　
（相違点４について）　
　同一画面上に分割表示する映像データとして、刊行物３には、記録媒体から読み出して再生した映像データを分割表示することが記載されている。また、刊行物１発明と刊行物３に記載された発明とは、動画像等のコンテンツの検索を容易に行う技術である点で技術分野が一致する。
　したがって、刊行物１発明においても、同一画面上に表示する映像データとして、再生された、記録媒体に格納された映像データを表示する構成を採用して、上記相違点４の構成とすることは当業者が容易に想到し得たことである。　
　
 そして、上記相違点についての判断を総合しても本願補正発明の奏する効果は、各刊行物から当業者が十分予測可能なものである。　
　
　以上のことから、本願発明は、上記刊行物１乃至３に記載された発明及び周知技術に基づいて当業者が容易に発明をすることができたものである。　
　
５．むすび　　
 　以上のとおりであるから、本願の請求項１に係る発明は、特許法第２９条第２項の規定により特許を受けることができないものである。 　
 　したがって、本願は、その余の請求項について論及するまでもなく、拒絶をすべきものである。